(57)【要約】【課題】合流式下水道の合流下水管の内壁には前記油分が付着しており、合流下水が流れると前記付着した油分の一部が剥離して油塊となって、合流下水とともに流下し、合流式下水道の越流水を濾過する濾過機のフィルタに固着するという問題点が有った。【解決手段】環状フィルタ９が回転自在に設けられている濾過機１において、フィルタが金属膜、セラミック膜及び／又は耐熱性樹脂膜を有するものとし、且つ洗浄装置７のノズル７Ｃから噴射される流体７Ｄが水蒸気及び／又は熱水であることを特徴とする濾過機１とする。洗浄装置７は移動可能に設置され前記フィルタ全面に高温流体を噴射することができることが好ましい。【選択図】        図１
2004305902.tif 000002
【特許請求の範囲】
【請求項１】
回転自在に設けられたフィルタで液体を濾過する濾過機において、高温流体を前記フィルタに噴射する洗浄装置を設けるとともに、前記フィルタの材料を耐熱性を有するものとしたことを特徴とする濾過機。
【請求項２】
前記洗浄装置は移動可能に設置され前記フィルタ全面に高温流体を噴射することのできる請求項１記載の濾過機。
【請求項３】
前記洗浄装置が水蒸気及び／又は熱水を噴射することを特徴とする請求項１又は２に記載の濾過機。
【請求項４】
前記フィルタが金属フィルタ、セラミックフィルタ及び耐熱性樹脂フィルタの何れかである請求項１乃至３の何れかに記載の濾過機。
【請求項５】
合流式下水道の越流水の濾過に用いられることを特徴とする請求項１乃至４の何れかに記載の濾過機。
【発明の詳細な説明】
【０００１】
【発明の属する技術分野】
本発明は、固液分離のための濾過機及び濾過装置に関するものであり、特には合流式下水道の越流水の固液分離のための濾過機及び濾過装置に関するものである。
【０００２】
下水道の方式は分流式と合流式とに大別される。分流式下水道は雨水と汚水が別々の管を流れるものであり、雨水は雨水管を通って河川、湖沼、海等の下流水域へ放流され、汚水は汚水管を通って下水処理場へ流入し、処理された後に下流水域へ放流される。
【０００３】
合流式下水道は雨水と汚水が同一の管を流れるものであり、図１１はその１例を示すフロー図であり、以下図１１を参照して合流式下水道の１例を説明する。雨水枡１０１からの雨水と汚水源１０２からの汚水は合流下水管１０３に流入して合流汚水１１１となり越流堰１０４Ａを具備する雨水吐き室１０４へ流入する。晴天時には合流汚水１１１は越流堰１０４Ａを越えず、処理場流入管１０５を通って下水処理場１０６へ流入し、処理後、処理水放流管１０７を通って下流水域へ放流される。処理場流入管１０５へ流入させ得る水量の上限が越流堰１０４Ａの高さにより設定されていて、大雨等で水量が増大して前記上限を上回ると、上回った分は越流堰１０４Ａを越えて越流水となり下水処理場を経ることなく放流管１１０を通って直接下流水域へ放流される。このように汚水を含む越流水が処理されないまま下流水域へ放流されると汚染の原因となるので、最近では放流管１１０の途中に濾過機（図示せず）を設け、この濾過機に越流水を流入させて侠雑物を除去後、放流することが多い。
【０００４】
前記濾過機には種々のものがあり、例えば特許文献１には、ドラムの一端から固体分を含む液体が供給される濾過機が示されているので、図面を参照しながら前記濾過機について説明する。図１２は濾過機及び槽の斜視図であり、濾過機が見えるようにするため槽を破断して図示している。図１３は濾過機の側断面図であり、後述する図１４のＦ−Ｆ断面図である。図１４は図１３のＥ−Ｅ断面図である。
【０００５】
ドラム９０２、環状フィルタ９０９、樋９０３及び洗浄装置９０７を有する濾過機９０１が槽９８０に設置される。ドラム９０２及び環状フィルタ９０９は水平軸線Ａの周りに回転自在に設けられ、樋９０３及び洗浄装置９０７は固定して設けられる。環状フィルタ９０９のフィルタ室９１１（図１３）は、外周部は保持フレーム９３１（図１４）で、両側面部はマイクロフィルタ布９２１を有するフィルタセグメント９２０（図１４）で、内周部はドラム９０２で囲われていて、前記内周部のドラム９０２の開口９０４を通してドラム９０２と連通している。
【０００６】
回転しない状態で、ドラム９０２に流入した固体分を含む液体９０５が開口９０４を通ってフィルタ室９１１に入り、フィルタセグメント９２０のマイクロフィルタ布９２１により濾過されて、液体分はマイクロフィルタ布９２１を通過して槽９８０内に貯留された後槽９８０外に流出し、固体分はマイクロフィルタ布９２１の下方部に捕捉されてフィルタ室９１１内に留まる。このように液体９０５が、ドラム９０２からフィルタ室９１１を介してマイクロフィルタ布９２１を通過する経路が液体導管９０６を形成する。
【０００７】
環状フィルタ９０９の下方部のマイクロフィルタ布９２１に捕捉された固体分の量が増大してマイクロフィルタ布９２１が目詰まり状態になると、ドラム９０２及びこれに固着された環状フィルタ９０９が回転し、マイクロフィルタ布９２１に捕捉された固体分が前記回転により下方部から上方部に移動し、上方部に設置された洗浄装置９０７から噴射された水により剥離され目詰まり状態が解消される。前記水と剥離された固体分は樋９０３に受けられて排出される。以下本明細書においては、このようにフィルタに捕捉された固体分に流体（例えば水）を噴射して剥離し目詰まり状態を解消することを「洗浄」と記述する。この濾過機９０１は濾過面積を大きくすることができ、洗浄も洗浄装置９０７から噴射された水により容易に行えるという利点を有する。
【０００８】
【特許文献１】
国際公開ＷＯ９９／３０７９７号公報
【０００９】
【発明が解決しようとする課題】
ところで下水道を流れる汚水に油分が多く含有されていると、下水管の内壁に油分が付着する。特に合流式下水道では雨天時に大量の雨水が下水道に流入すると、付着していた油分が剥離して油塊となって越流水とともに流下して下流水域を汚染する。下水処理場で処理されない越流水中の前記油塊が濾過機９０１に流入しマイクロフィルタ布９２１に捕捉される。合流式下水道で越流水が生じるのは大雨等で水量が増大した時であり、このような時は前述のように油塊が合流下水とともに流下する現象が顕著になり、濾過機９０１に流入しマイクロフィルタ布９２１に捕捉される油塊も多くなる。前記油塊はマイクロフィルタ布９２１に強く捕捉され、さらにマイクロフィルタ布９２１に捕捉された油塊以外の固体分も油塊の油分が付着するとより強く捕捉され、洗浄装置９０７から噴射された水では洗浄が十分行われなくなるという問題点が有った。
【００１０】
下水道以外でも、油分を多く含有する排水が濾過機９０１に流入すると、マイクロフィルタ布９２１に捕捉された固体分に付着した油分が固まることにより、前記固体分がマイクロフィルタ布９２１に強く捕捉され、洗浄装置９０７から噴射された水では洗浄が十分行われなくなるという問題点が有った。
【００１１】
本発明は前記問題点に鑑みなされたものであり、その目的とするところは油分を含有する液体の濾過を容易に行える濾過機及び濾過装置を提供することであり、特には油塊を含有する合流式下水道の越流水の濾過を容易に行える濾過機及び濾過装置を提供することである。
【００１２】
【課題を解決するための手段】
本発明者らは種々研究の結果、次のような濾過機及び濾過装置とすることにより前記問題点を解決し、本発明を完成するに至った。すなわち本発明は、回転自在に設けられたフィルタで液体を濾過する濾過機において、高温流体を前記フィルタに噴射する洗浄装置を設けるとともに、前記フィルタの材料を耐熱性を有するものとしたことを特徴とする濾過機である。
【００１３】
本発明において前記洗浄装置は移動可能に設置され前記フィルタ全面に高温流体を噴射することができることが好ましい。
【００１４】
本発明において高温流体は水蒸気、熱水または油分を分解する効果を有する酸性水溶液またはアルカリ性水溶液の蒸気又は熱水のような高温流体としても良く、あるいはそれらを併用しても良い。
【００１５】
前記フィルタは前記高温流体と接触しても劣化や腐蝕等の変化の生じることの無い材質で形成されていることが望ましく、例えば金属フィルタ、セラミックフィルタ、耐熱性樹脂フィルタ等を好適に使用できる。
【００１６】
本発明の濾過機は、合流式下水道の越流水の濾過に特に好適に使用できる。
【００１７】
【発明の実施の形態】
以下、本発明の実施形態について図面を参照して説明する。図１は本実施形態の濾過装置１００の斜視図であり、液体５の流入方向は図の紙面右から左であり、濾過機１が見えるようにするため槽８０を破断して示し、ドラム２の開放端（後述）の上半分、最も開放端側のフィルタセグメント２０の上半分、その内部のスポーク４３ならびに最も開放端側の枝管７Ｂの下部及びそれに取り付けられるノズル７Ｃは図示を省略して環状フィルタ９の内部が見えるようにするとともに、開放端支持部６２、閉鎖端支持部７３及び駆動部７８は図示を省略している。図２は液体５の流入側から見た濾過装置１００の正面図である。図３は図２のＡ−Ａ断面図であり、閉鎖端支持部７３及び駆動部７８は断面にせず、濾過機１は樋３部分だけを断面で示す。図４は特にドラム２、保持フレーム３１、スポーク４３、空間９ａを示す正面図である。図５は図４のＢ−Ｂ断面図である。図６はフィルタセグメント２０を示す正面図である。図７は図４（詳しくは、図４のものを２０度回転させた状態）のスポーク４３にフィルタセグメント２０が取り付けられた状態ならびに樋３及びノズル７Ｃを示す正面図であり、環２Ｄ及び堰板２Ｂの図示を省略した図である。図８は図７のＣ−Ｃ断面図である。図９は図７のＤ−Ｄ断面図である。図１０は本発明の濾過装置を用いた合流式下水道の１例を示すフロー図であり、同一部は図１１と同じ参照符号を付す。
【００１８】
濾過装置１００は濾過機１及びコンクリート製の槽８０を有する。濾過機１はドラム２、樋３、洗浄装置７、環状フィルタ９、開放端支持部６２、閉鎖端支持部７３、駆動部７８及びそれらが取り付けられる躯体を有する。なお本実施形態では前記躯体を槽８０で代用するので躯体は不要である。
【００１９】
液体５が流入するドラム２は筒２Ａ、堰板２Ｂ、環２Ｄ及びドラム用軸２Ｅ（図３）を有する。以下、本明細書では液体５が流入する側のドラム２の端部を「開放端」と記述し、液体５が流入する側と反対側のドラム２の端部を「閉鎖端」と記述し、筒２Ａの長手方向を「軸方向」と記述する。筒２Ａは円筒形で閉鎖端は袋状に閉塞され、開放端は中心部に流入穴２Ｂａを有する堰板２Ｂで一部閉塞されている。筒２Ａの開放端には環２Ｄが同軸に外設され、閉鎖端にはドラム用軸２Ｅが同軸に突設される。筒２Ａの後述するフィルタ室１１の位置には開口２ｃを設ける。
【００２０】
環状フィルタ９は、フィルタセグメント２０、保持フレーム３１、スポーク４３及びボルト３５を有する。図４に示されるスポーク４３は図７ではフィルタセグメント２０に隠されて見えない。板状のスポーク４３はネジ穴４３ａ（図４）を有し、長手方向の一端がドラム２の外周に２枚１組で軸方向にＬ１寸法（図５、８）の間隔を置いて配設される。スポーク４３の長手方向の他端には円環状の保持フレーム３１が取り付けられる。このようにドラム２、保持フレーム３１及びスポーク４３で囲われた略扇形の空間９ａ（図４）が形成される。本実施形態では空間９ａの数は（円周方向に４０度ピッチで）９箇所とした。そして前記９箇所の空間９ａを含む環状フィルタ９がドラム２の軸方向に間隔を空けて複数取り付けられる。
【００２１】
フィルタセグメント２０はフィルタ２１及びフィルタフレーム２２を有する。フィルタ２１の平面形状は空間９ａよりもやや狭い略扇形（図６の破線で示す）であり、フィルタセグメント２０が形成されたとき後述するボルト通し穴２２ａと重ならない形状とする。フィルタフレーム２２の平面形状はフィルタ２１の外枠となるような窓形であり、内外周が空間９ａに緩挿可能な寸法にする。フィルタフレーム２２はネジ穴４３ａの位置に対応したボルト通し穴２２ａを有する。フィルタ２１がフィルタフレーム２２に溶接、ろう付けあるいは接着等の固着手段により固着されてフィルタセグメント２０が形成される。フィルタセグメント２０が前記２枚１組のスポーク４３に軸方向の両側から取り付けられ、ボルト通し穴２２ａを通したボルト３５がネジ穴４３ａにねじ込まれ、フィルタセグメント２０がスポーク４３に締結される。
【００２２】
空間９ａの軸方向両側面部がフィルタ２１有するフィルタセグメント２０で囲われてフィルタ室１１が形成される。本実施形態では回転方向に隣接する９箇所のフィルタ室１１間には、仕切りが無くつながったものとする。環状フィルタ９のフィルタ室１１は、外周部は保持フレーム３１で、両側面部はフィルタ２１を有するフィルタセグメント２０で、内周部はドラム２で囲われていて、前記内周部のドラム２の筒２Ａの開口２ｃを通してドラム２と連通している。開口２ｃの軸方向寸法Ｌ２（図９）はフィルタ室１１の軸方向寸法Ｌ１に対してＬ２≦Ｌ１となるようにし、ドラム２の強度を損なわない範囲でできるだけ大きくすることが好ましい。開口２ｃの周方向寸法Ｌ３（図７）はドラム２の強度を損なわない範囲でできるだけ大きくすることが好ましい。Ｌ２あるいはＬ３が小さいと、後述する洗浄により剥離落下する固形物の開口２ｃの通過に支障を来たす。
【００２３】
樋３は、長手方向において開放端側が低くなるように傾斜してドラム２内上部に設けられ、開放端側はドラム２外に位置する。樋３の閉鎖端側端部には堰板３Ａが具備され、後述する洗浄排液５Ｂの溢出を防止する。樋３は槽８０に固定して取り付けられるが、樋３位置及び前記傾斜角度を調整可能にしておくと、液体５の性状が変化した場合の対応が容易であるし、試運転時の調整にも便利であり好ましい。
【００２４】
洗浄装置７は元管７Ａ、枝管７Ｂ及びノズル７Ｃを有する。元管７Ａは環状フィルタ９の上側に略水平に配設される。枝管７Ｂは元管７Ａの下部に連通して、軸方向に隣接する環状フィルタ９の間隔部に、略垂直に配設される。枝管７Ｂに配設されるノズル７Ｃは環状フィルタ９に対向しており高温流体７Ｄを環状フィルタ９に噴射する。このとき環状フィルタ９を回転させることにより環状フィルタ９全面を洗浄することができる。環状フィルタ９全面を残さず洗浄するにはノズル７Ｃを密に配置する必要がありノズル数が多くなる。ノズル数が多いと高温流体の供給源の容量も大きくする必要が生じ設備コストが増大する。少ないノズル数で環状フィルタ９全面を残さず洗浄するにはノズル７Ｃを回転する環状フィルタ９の径方向に移動可能に設置すれば良い。例えばノズル７Ｃを環状フィルタ９の濾過面に対して平行面上を揺動させるのである。又は直線移動であっても良い。ノズル７Ｃを移動可能にするには洗浄装置７全体を移動させるとよい。洗浄装置７は槽８０に固定して取り付けられるが、ノズル７Ｃ位置を調整可能にしておくと、液体５の性状が変化した場合の対応が容易であるし、試運転時の調整にも便利であり好ましい。前記ノズル７Ｃ位置を調整可能にしておく方法の一例として、元管７Ａ及び／又は枝管７Ｂの一部あるいは途中にフレキシブル継ぎ手あるいはねじ込み継ぎ手等を設置してことが行われる。１本の枝管７Ｂに配設されるノズル７Ｃの数は単数あるいは複数個のいずれでも良く機能を満足する任意の数とすれば良い。そして枝管７Ｂに配設されたノズル７Ｃの間あるいは上端のノズル７Ｃの上もしくは下端のノズル７Ｃの下にノズル取り付け可能なネジ穴を設け、そこを栓で閉じておき、必要に応じてノズル取り付け可能にしておくと、前述のような液体５の性状が変化した場合の対応が容易であるし、試運転時の調整にも便利であり好ましい。
【００２５】
開放端支持部６２（図２、３）は開放端支持板６２Ａ、円筒６２Ｂ及び円筒用軸６２Ｃを有する。円筒用軸６２Ｃは円筒６２Ｂを軸通し、両端が２枚の開放端支持板６２Ａに軸装される。開放端支持板６２Ａは槽８０に取り付けられる。このようにして円筒６２Ｂが槽８０に対して回転自在に設けられる。槽８０に取り付けられた閉鎖端支持板７２に、ドラム用軸２Ｅが回転自在に軸装される。ドラム用軸２Ｅ及び閉鎖端支持板７２が閉鎖端支持部７３を形成する。２組の開放端支持部６２の円筒６２Ｂが環２Ｄの両側面下部に当接し、閉鎖端支持部７３とともに、ドラム２を回転自在に槽８０に支持する。開放端支持部６２あるいは閉鎖端支持部７３に必要に応じてベアリング装置を具備することは回転を円滑にするために有効である。
【００２６】
ドラム用軸２Ｅの端部には従動スプロケット７４が取り付けられる。槽８０に取り付けられた駆動装置である電動機７５の出力軸には、駆動スプロケット７６が軸方向位置を従動スプロケット７４に合わせて取り付けられ、チェン７７を介して駆動スプロケット７６の回転を従動スプロケット７４に伝道できるので、電動機７５の回転出力をドラム用軸２Ｅならびにそれに固着されたドラム２及び環状フィルタ９に伝道し、ドラム２及び環状フィルタ９を回転させることができる。電動機７５、駆動スプロケット７６、従動スプロケット７４及びチェン７７から駆動部７８が形成される。
【００２７】
このようにドラム２及びドラム２に取り付けられた環状フィルタ９は回転自在に槽８０に設けられる。前述のように本実施形態では躯体を槽８０で代用し躯体は不要としたが、躯体を槽８０で代用せず躯体を用いる場合は開放端支持板６２Ａ、閉鎖端支持板７２及び電動機７５は躯体に取り付けられる。
【００２８】
濾過機１の材料の内、鉄製のものについては、少なくともその一部をメッキ付あるいはＳＵＳ３０４、ＳＵＳ３１６等のステンレルスチール製とすると、腐食しにくく寿命を長くできるので好ましい。
【００２９】
回転しない状態で、流入穴２Ｂａからドラム２に流入した固体分ならびに油分及び／又は油塊を含む液体５が開口２ｃを通って下方のフィルタ室１１に流入し、フィルタセグメント２０のフィルタ２１により濾過されて、液体分である濾過液５Ａ（図１）はフィルタ２１を通過してフィルタ室１１から槽８０内に移動し、流出口８０ａ（図１、３）から槽８０外に流出し、固体分（図示せず）はフィルタ２１に捕捉されて下方のフィルタ室１１内に留まる。
【００３０】
下方のフィルタ室１１のフィルタ２１に捕捉された前記固体分の量が増大してフィルタ２１が目詰まり状態になると、ドラム２を図７において、矢印方向に４０度回転させ（すなわちドラム２に固着された環状フィルタ９を４０度回転させ）目詰まりした環状フィルタＪを矢印方向に移動させ、目詰まりしていない隣接する環状フィルタＫを下方（回転させる前に環状フィルタＪが存在していた位置）に移動させる。回転と同時に洗浄装置７から流体７Ｄを噴射して環状フィルタＬを洗浄して目詰まりを解消する。前記目詰まり状態を検出し環状フィルタ９を回転させる操作もしくは制御は、人が目視等で検出し、電動機７５を駆動するようにしても良いが、例えばレベル計（図示せず）により目詰まり状態にともなうドラム２の液体５の液面上昇を検出して電動機７５を駆動するようにしても良い。
【００３１】
ところで、この捕捉された固体分に付着した（あるいは含有された）前記油分及び／又は油塊が固まることにより、前記固体分がフィルタ２１に強く捕捉され、図１２を参照して説明した従来の濾過機では洗浄が十分行われなくなる。そこで本実施形態では、捕捉された固体分に洗浄装置７から噴射する流体７Ｄを水蒸気とし、前記水蒸気の熱により固まった油分及び／又は油塊を溶解するとともに、水蒸気の噴射圧力により固体分をフィルタ２１から剥離して洗浄するようにした。洗浄された固体分及び油分及び／又は油塊ならびに前記水蒸気の凝縮水である洗浄排液５Ｂ（図１）は落下し、開口２ｃを通って樋３に受け止められて排出される。
【００３２】
フィルタ２１の材料は金属フィルタ、セラミックフィルタあるいは耐熱性樹脂フィルタのいずれでも良く、噴射される水蒸気の熱に耐えられる耐熱性を有する任意の材料とすることができる。合流式下水道の越流水を濾過する濾過機の場合は、フィルタ２１の材料として金網あるいはエキスパンドメタルのような比較的目の大きもの（これらは広義の金属膜である）が選択され、前記金網あるいはエキスパンドメタルは、メッキ付鉄製あるいはＳＵＳ３０４、ＳＵＳ３１６等のステンレルスチール製とすると、腐食しにくく寿命を長くできるので好ましい。前記目の大きさは濾過しようとする液体の性状に応じて適切に設定される。１台のフィルタ２１の材料及び／又は目の大きさが異なるものを組み合わせても良い。そして、合流式下水道の（越流水でなく）合流下水を濾過する濾過機、分流式下水道の雨水又は汚水を濾過する濾過機あるいは下水道以外の排水の侠雑物を濾過する濾過機の場合も同様である。
【００３３】
このような濾過装置１００が設置された合流式下水道の１例を図１０のフロー図を参照して説明する。雨水枡１０１からの雨水と汚水源１０２からの汚水は合流下水管１０３に流入して合流汚水１１１となり越流堰１０４Ａを具備する雨水吐き室１０４へ流入する。通常、合流汚水１１１は越流堰１０４Ａを越えず、処理場流入管１０５を通って下水処理場１０６へ流入し、処理後、処理水放流管１０７を通って下流水域へ放流される。そして処理場流入管１０５へ流入させ得る水量の上限が越流堰１０４Ａの高さにより設定されていて、大雨等で水量が増大して前記上限を上回ると、上回った分は越流堰１０４Ａを越えて越流水となり下水処理場へ流入せず、放流管１０８を通って濾過装置１００へ流入し、濾過後、濾過液５Ａは濾過液放流管１１２を通って下流水域へ放流され、洗浄排液５Ｂは洗浄排液流入管１０９を通って下水処理場１０６へ流入し、処理後、処理水放流管１０７を通って下流水域へ放流される。このように越流水を直接下流水域へ放流せず、濾過装置１００で濾過後、放流することにより下流水域を汚濁する度合いを軽減できる。
【００３４】
なお、分流式下水道でも汚水管において油塊が生じるが、汚水が全量下水処理場で処理されるので放流先の下流水域を汚濁するという問題は無い。分流式下水道の雨水管において油塊が生じる場合があるが、極めて少量であるので放流先の下流水域を著しく汚濁するという問題は無いが、汚水管の途中に濾過装置１００を設置して濾過後、放流することにより下流水域の汚濁防止をより高度に行うことができる。
【００３５】
【発明の効果】
本発明によれば、油分を含有する液体の濾過機及び濾過装置において、フィルタに捕捉された固体分に付着した（あるいは含有された）油分が固まって、従来の洗浄では剥離困難となった場合でも、洗浄装置７から噴射する流体７Ｄを水蒸気あるいは熱水のような高温流体とし、前記高温流体の熱により固まった油分を溶解するとともに、高温流体の噴射圧力により固体分をフィルタ２１から剥離して洗浄するようにしたことにより、油分を含有する液体の濾過を容易に行える濾過機及び濾過装置を提供することができる。特に、本発明によれば合流式下水道の油塊を含む越流水の濾過を容易に行える濾過機及び濾過装置を提供することができる。
【図面の簡単な説明】
【図１】実施形態の濾過装置の斜視図である。
【図２】濾過装置の正面図である。
【図３】図２のＡ−Ａ断面図である。
【図４】ドラム２、保持フレーム３１、スポーク４３、空間９ａを示す正面図である。
【図５】図４のＢ−Ｂ断面図である。
【図６】フィルタセグメント２０を示す正面図である。
【図７】図４のスポーク４３にフィルタセグメント２０が取り付けられた状態ならびに樋３及びノズル７Ｃを示す正面図である。
【図８】図７のＣ−Ｃ断面図である。
【図９】図７のＤ−Ｄ断面図である。
【図１０】本発明の濾過装置を用いた合流式下水道の１例を示すフロー図である。
【図１１】従来の合流式下水道の１例を示すフロー図である。
【図１２】従来の濾過機及び槽の斜視図である。
【図１３】従来の濾過機の側断面図であり、図１４のＦ−Ｆ断面図である。
【図１４】図１３のＥ−Ｅ断面図である。
【符号の説明】
１  濾過機
２  ドラム
２Ａ  筒
２Ｂ  堰板
２Ｂａ  流入穴
２ｃ  開口
２Ｄ  環
２Ｅ  ドラム用軸
３  樋
３Ａ  堰板
５  液体
５Ａ  濾過液
５Ｂ  洗浄排液
７  洗浄装置
７Ａ  元管
７Ｂ  枝管
７Ｃ  ノズル
７Ｄ  高温流体
９、Ｊ、Ｋ、Ｌ  環状フィルタ
９ａ  空間
１１  フィルタ室
２０  フィルタセグメント
２１  フィルタ
２２  フィルタフレーム
２２ａ  穴
３１  保持フレーム
３５  ボルト
４３  スポーク
４３ａ  ネジ穴
６２  開放端支持部
６２Ａ  開放端支持板
６２Ｂ  円筒
６２Ｃ  円筒用軸
７２  閉鎖端支持板
７３  閉鎖端支持部
７４  従動スプロケット
７５  電動機
７６  駆動スプロケット
７７  チェン
７８  駆動部
８０  槽
８０ａ  流出口
１００  濾過装置
１０１  雨水枡
１０２  汚水源
１０３  合流下水管
１０４  雨水吐き室
１０４Ａ  越流堰
１０５  処理場流入管
１０６  下水処理場
１０７  処理水放流管
１０８  放流管
１０９  洗浄排液流入管
１１１  合流汚水
１１２  濾過液放流管
【図１】
2004305902.tif 000003
【図２】
2004305902.tif 000004
【図３】
2004305902.tif 000005
【図４】
2004305902.tif 000006
【図５】
2004305902.tif 000007
【図６】
2004305902.tif 000008
【図７】
2004305902.tif 000009
【図８】
2004305902.tif 000010
【図９】
2004305902.tif 000011
【図１０】
2004305902.tif 000012
【図１１】
2004305902.tif 000013
【図１２】
2004305902.tif 000014
【図１３】
2004305902.tif 000015
【図１４】
2004305902.tif 000016